(57)【要約】【課題】冷却ファンを高速で運転させる必要がなく、冷却ファンの運転効率を向上すると共に、冷却ファン運転中の騒音を低減したモジュラー化コンピュータシステム及びそれを用いたコンピュータシステムの放熱方法を提供する。【解決手段】光ディスクインターフェースコネクタとハードディスクインターフェースコネクタとを備えるインターフェースコネクタグループと、電気ソケットを備えるミニコンピュータホストと、電気ソケットに接続してミニコンピュータホストに電源を供給する電源供給器と、光ディスクインターフェースコネクタに接続した光インターフェース接続コードと、第１の電源に接続した第１の電気コードを備える光ディスクドライブと、ハードディスクインターフェースコネクタに接続したハードディスクインターフェース接続コードと、第２の電源に接続した第２の電気コードとを備えるハードディスクドライブとを備える。  【選択図】図１
2007241485.tif 000002
【特許請求の範囲】
【請求項１】
光ディスクインターフェースコネクタとハードディスクインターフェースコネクタとを備える少なくとも１つのインターフェースコネクタグループと、外部に露出した少なくとも１つの電気ソケットと、を備えるミニコンピュータホストと、
前記ミニコンピュータホストの電気ソケットに接続して前記ミニコンピュータホストに電源を供給する電源供給器と、
前記ミニコンピュータホストの光ディスクインターフェースコネクタに接続した光インターフェース接続コードと、第１の電源に接続した第１の電気コードと、を備える光ディスクドライブと、
前記ミニコンピュータホストのハードディスクインターフェースコネクタに接続したハードディスクインターフェース接続コードと、第２の電源に接続した第２の電気コードと、を備えるハードディスクドライブと、
を備えることを特徴とするモジュラー化コンピュータシステム。        
【請求項２】
前記第１の電源及び前記第２の電源は、前記ミニコンピュータホストを介して、前記電源供給器に接続することを特徴とする請求項１に記載のモジュラー化コンピュータシステム。
【請求項３】
前記ハードディスクドライブはロック機構を備え、前記ロック機構がロック解除されると、前記ハードディスクドライブの情報がアクセス可能になり、前記ロック機構がロックされると、前記ハードディスクドライブの情報がアクセス不能になることを特徴とする請求項１または２に記載のモジュラー化コンピュータシステム。        
【請求項４】
ディスプレイに接続したテレビ信号接続コードと、第３の電源に接続した第３の電気コードと、を備えたテレビ信号プロセッサをさらに含むことを特徴とする請求項１に記載のモジュラー化コンピュータシステム。
【請求項５】
前記第１の電源と、前記第２の電源と、前記第３の電源とは、前記ミニコンピュータホストを介して、前記電源供給器に接続することを特徴とする請求項４に記載のモジュラー化コンピュータシステム。        
【請求項６】
前記ハードディスクドライブはロック機構を備え、前記ロック機構がロック解除されると、前記ハードディスクドライブの情報がアクセス可能になり、前記ロック機構がロックされると、前記ハードディスクドライブの情報がアクセス不能になることを特徴とする請求項４または５に記載のモジュラー化コンピュータシステム。
【請求項７】
コンピュータシステムの放熱問題を解決する方法であって、
コンピュータシステムの熱源発生状況に基づき複数の温度間隔を決定し、
前記コンピュータシステムを、前記温度間隔にそれぞれ対応する複数の相互接続した独立デバイスに分け、
各独立デバイスがそれぞれ電源を得る、
ことを特徴とするコンピュータシステムの放熱方法。        
【請求項８】
前記独立デバイスは、ミニコンピュータホストと、電源供給器と、光ディスクドライブと、ハードディスクドライブとを含むことを特徴とする請求項７に記載のコンピュータシステムの放熱方法。
【請求項９】
前記独立デバイスは、ミニコンピュータホストと、電源供給器と、光ディスクドライブと、ハードディスクドライブと、テレビ信号プロセッサとを含むことを特徴とする請求項７に記載のコンピュータシステムの放熱方法。        
【発明の詳細な説明】
【技術分野】
【０００１】
本発明は、モジュラー化コンピュータシステムに関し、詳細には、熱を容易に冷却ファンで放散することを可能としたモジュラー化コンピュータシステムに関する。
【背景技術】
【０００２】
従来のコンピュータシステムは、マザーボードを搭載するためのハウジング、電源供給器、光ディスクドライブ、ハードディスクドライブを含んで成る。しかしながら、マザーボード、電源供給器、光ディスクドライブ、ハードディスクドライブが発生する熱がハウジングの中にこもり、ハウジングの温度が高くなってしまう。このため、従来のコンピュータシステムは高速で運転される冷却ファンを複数設置する必要があり、そのため冷却ファンの動作効率が低くなり、且つ冷却ファン運転時の騒音が大きくなってしまう。加えて、ハウジングをより大きくする必要があるため、ハウジングが大きなスペースを占用し、ハウジングの設置が不便になってしまう。
【発明の開示】
【発明が解決しようとする課題】
【０００３】
本発明の第一の目的は、コンピュータシステムの放熱問題を解決する方法及び当該方法を実行するためのモジュラー化コンピュータシステムを提供することにある。
【０００４】
本発明の第二の目的は、ミニコンピュータホストから発生する熱を容易に冷却ファンで放散することができ、冷却ファンを高速で運転させる必要がなく、それにより冷却ファンの運転効率を向上すると共に、冷却ファン運転中の騒音を低減した、モジュラー化コンピュータシステムを提供することにある。
【０００５】
本発明の第三の目的は、モジュラー化コンピュータシステムの各独立デバイスが発生する熱が自然に放散され、モジュラー化コンピュータシステムが発生する熱を迅速に放散することにより、放熱問題を解決する、モジュラー化コンピュータシステムを提供することにある。
【０００６】
本発明の第四の目的は、モジュラー化コンピュータシステムの各独立デバイスが同じ長さと幅を備え、モジュラー化コンピュータシステムの独立デバイスの相対位置を実際の必要性に合わせて自由に変えることができる、モジュラー化コンピュータシステムを提供することにある。
【０００７】
本発明の第五の目的は、ロック機構がロック解除されると、ハードディスクドライブの情報がアクセス可能になり、ロック機構がロックされると、ハードディスクドライブの情報がアクセス不能になり、それにより情報セキュリティ機能を提供する、モジュラー化コンピュータシステムを提供することにある。
【課題を解決するための手段】
【０００８】
本発明の実施例の一つにおいて提供されるモジュラー化コンピュータシステムは、ミニコンピュータホストと、電源供給器と、光ディスクドライブと、ハードディスクドライブとを含んで成る。
【０００９】
ミニコンピュータホストは、少なくとも１つのインターフェースコネクタグループとそこから各々が外側に向かって露出した少なくとも１つの電気ソケットを含み、インターフェースコネクタグループが、光ディスクインターフェースコネクタとハードディスクインターフェースコネクタを含む。
【００１０】
電源供給器は、ミニコンピュータホストの電気ソケットに接続し、ミニコンピュータホストに電源を供給する。
【００１１】
光ディスクドライブは、ミニコンピュータホストの光ディスクインターフェースコネクタに接続した光インターフェース接続コードと、第１の電源に接続した第１の電気コードを備えている。
【００１２】
ハードディスクドライブは、ミニコンピュータホストのハードディスクインターフェースコネクタに接続したハードディスクインターフェース接続コードと、第２の電源に接続した第２の電気コードを備えている。
【００１３】
さらに、ミニコンピュータホスト、光ディスクドライブ及びハードディスクドライブそれぞれは、ほぼ同じ長さと幅を備えている。
【００１４】
加えて、第１の電源と第２の電源は、ミニコンピュータホストを介して、電源供給器に接続する。
【００１５】
ハードディスクドライブは、ロック機構を備えているのが好ましく、ロック機構がロック解除されると、ハードディスクドライブの情報がアクセス可能になり、ロック機構がロックされると、ハードディスクドライブの情報がアクセス不能になる。
【００１６】
本発明の実施例において提供されるコンピュータシステムの放熱問題を解決する方法は、次の手順を含む。
【００１７】
コンピュータシステムの熱源発生状況に基づき、複数の温度間隔を決定する。
【００１８】
コンピュータシステムを、温度間隔にそれぞれ対応する複数の相互接続した独立デバイスに分け、各独立デバイスがそれぞれ電源を得る。
【００１９】
さらに、各独立デバイスが、ほぼ同じ長さと幅を有する。
【００２０】
独立デバイスは、ミニコンピュータホストと、電源供給器と、光ディスクドライブと、ハードディスクドライブと、テレビ信号プロセッサとを含むのが好ましい。
【発明の効果】
【００２１】
本発明によれば、モジュラー化コンピュータシステムの各独立デバイスが発生する熱が自然に放散され、ミニコンピュータホストに熱が集中することを防ぐことができる。また、ミニコンピュータホストが発生する熱は、容易に冷却ファンで放散されるため、冷却ファンを高速で運転させる必要がなく、これにより冷却ファンの運転効率が向上すると共に、冷却ファン運転中の騒音を低減することができる。
【発明を実施するための最良の形態】
【００２２】
以下の図面に基づく詳細な説明を注意深く読むことで、本発明のさらなる有益性と利点をより明白に理解することができる。
【００２３】
図１に示すように、本発明の好ましい実施形態に基づくモジュラー化コンピュータシステム１は、ミニコンピュータホスト２、電源供給器３、光ディスクドライブ４、ハードディスクドライブ５、テレビ信号プロセッサ６を含んで成る。ミニコンピュータホスト２、電源供給器３、光ディスクドライブ４、ハードディスクドライブ５、テレビ信号プロセッサ６の各々は、ほぼ同じ長さと幅を備え、それぞれが個別に電源に接続した独立デバイスである。ミニコンピュータホスト２、電源供給器３、光ディスクドライブ４、ハードディスクドライブ５、テレビ信号プロセッサ６は、接続ケーブルにより相互に接続し、モジュラー化コンピュータシステム１を形成する。
【００２４】
ミニコンピュータホスト２は、マザーボード、CPU、ヒートシンク装置を含む。ヒートシンク装置は、ラジエータと冷却ファンを含む。マザーボードは、インターフェースコネクタグループと、そこから外側に向かってそれぞれが露出した電気ソケットを備えている。より詳細には、インターフェースコネクタグループは、光ディスクインターフェースコネクタとハードディスクインターフェースコネクタを含み、光ディスクインターフェースコネクタとハードディスクインターフェースコネクタは、一般的なUSBコネクタ、SATAコネクタ、PATAコネクタ、SCSIコネクタ、IDEコネクタから選択される。
【００２５】
従来のコンピュータシステムと異なる注目すべき点は、ミニコンピュータホスト２内部に電源供給器、光ディスクドライブ、ハードディスクドライブが含まれないため、電源供給器、光ディスクドライブ、ハードディスクドライブの発生する熱が、ミニコンピュータホスト２の内部には生じない点である。このため、ミニコンピュータホスト２は、ミニコンピュータホスト２の内部に設置されたCPUの能動部品と受動部品、及びマザーボードにより少量の熱のみが発生し、このミニコンピュータホスト２から発生した少量の熱は、ヒートシンク装置により容易に放熱することができる。
【００２６】
図１に示すように、電源供給器３は、ミニコンピュータホスト２の電気ソケットに接続し、ミニコンピュータホスト２に電源を供給する(直流及び交流アダプタの)ケーブル３０を備えている。これにより、電源供給器３は、ミニコンピュータホスト２から取り除かれて外部に位置し、ミニコンピュータホスト２の外部で、電源供給器３からの熱と騒音が生じることとなる。
【００２７】
さらに、図１に示すように、光ディスクドライブ４は、ミニコンピュータホスト２の光ディスクインターフェースコネクタに接続した光インターフェース接続コード４０と、第１の電源（不図示）に接続した第１の電気コード４１を備えている。これにより、光ディスクドライブ４は、ミニコンピュータホスト２から取り除かれて外部に位置し、ミニコンピュータホスト２の外部で、光ディスクドライブ４からの熱と騒音が生じることとなる。
【００２８】
図１に示すように、ハードディスクドライブ５は、ミニコンピュータホストのハードディスクインターフェースコネクタ２に接続したハードディスクインターフェース接続コード５０と、第２の電源（不図示）に接続した第２の電気コード５１を備えている。これにより、ハードディスクドライブ５は、ミニコンピュータホスト２から取り除かれて外部に位置し、ミニコンピュータホスト２の外部で、ハードディスクドライブ５からの熱と騒音が生じることとなる。
【００２９】
ハードディスクドライブ５はロック機構５２を備え、ロック機構５２は鍵により開閉される錠とし、鍵５３によりロックまたはロック解除されるものとすることができる。または、ロック機構５２はコード番号によりロック解除される番号ロックとしてもよい。これにより、ロック機構５２がロック解除されると、ハードディスクドライブ５の情報はアクセス可能になり、ロック機構５２がロックされると、ハードディスクドライブ５の情報はアクセス不能になる。実際は、ハードディスクドライブ５の電気的な状態(電源オフまたは短絡など)が、ロック機構５２のロック及びロック解除の機械的動作によって変えられる。このため、ハードディスクドライブ５がアクセス可能であるか否かは、ハードディスクドライブ５の電気的な状態により決定される。
【００３０】
図１に示すように、テレビ信号プロセッサ６はディスプレイ（不図示）に接続したテレビ信号接続コード６０と第３の電源（不図示）に接続した第３の電気コード６１を備えている。これにより、テレビ信号プロセッサ６が独立して使用され、テレビ信号を変換してディスプレイに送信し、ディスプレイでテレビ番組を表示させることができる。より重要なのは、テレビ信号プロセッサ６は、ミニコンピュータホスト２の外部に位置しており、このため、ミニコンピュータホスト２の外部で、テレビ信号プロセッサ６からの熱と騒音が生じることとなる点である。
【００３１】
第１の電源、第２の電源、第３の電源は、各々主電源から取得でき、また、ミニコンピュータホスト２に接続することで電源供給器３から取得することも可能である。
【００３２】
この構成により、ミニコンピュータホスト２、電源供給器３、光ディスクドライブ４、ハードディスクドライブ５、テレビ信号プロセッサ６の各々は独立デバイスを成し、従来のコンピュータシステムと同様の機能を持つモジュラー化コンピュータシステムを形成するための必要性に基づき、これらすべてまたは一部が相互接続される。モジュラー化コンピュータシステムの各独立デバイスが発生する熱が自然に放散され、ミニコンピュータホスト２に熱が集中することを防ぐことができる点が従来品と異なる。このため、ミニコンピュータホスト２が発生する熱は、容易に冷却ファンで放散されるため、冷却ファンを高速で運転させる必要がなく、これにより冷却ファンの運転効率を向上すると共に、冷却ファン運転中の騒音を低減することができる。加えて、電源供給器３、光ディスクドライブ４、ハードディスクドライブ５、テレビ信号プロセッサ６が発生する熱は、ミニコンピュータホスト２の発生する熱に比べずっと小さい。このため、モジュラー化コンピュータシステムの各独立デバイスが発生する熱は、自然に放散され、モジュラー化コンピュータシステムが発生する熱は迅速に放散されるため、放熱の問題を解決することができる。
【００３３】
図１においては、ミニコンピュータホスト２、電源供給器３、光ディスクドライブ４、ハードディスクドライブ５、テレビ信号プロセッサ６は、垂直状態に積層される。図２においては、ミニコンピュータホスト２、電源供給器３、光ディスクドライブ４、ハードディスクドライブ５、テレビ信号プロセッサ６は、水平方向に一列に配置される。図３においては、ミニコンピュータホスト２、光ディスクドライブ４、ハードディスクドライブ５、テレビ信号プロセッサ６は、２段に重ねて配置される。このように、ミニコンピュータホスト２、電源供給器３、光ディスクドライブ４、ハードディスクドライブ５、テレビ信号プロセッサ６の相対位置は、実際の必要性とユーザの好みに合わせ変えることができる。
【００３４】
上述のように、ミニコンピュータホスト２が発生する熱は、冷却ファンにより容易に放散されるため、冷却ファンを高速で運転させる必要はなく、これにより冷却ファンの運転効率を向上すると共に、冷却ファン運転中に発生する騒音を低減することができる。加えて、モジュラー化コンピュータシステムの各独立デバイスが発生する熱は自然に放散されるため、モジュラー化コンピュータシステムが発生する熱は迅速に放散され、放熱問題を解決することができる。さらに、モジュラー化コンピュータシステムの各独立デバイスはほぼ同じ長さと幅を備えているため、モジュラー化コンピュータシステムの各独立デバイスの相対位置は、実際の必要性に応じて自由に変えることができる。また、ロック機構５２がロック解除されると、ハードディスクドライブ５の情報がアクセス可能になり、ロック機構５２がロックされると、ハードディスクドライブ５の情報はアクセス不能になるため、これにより情報セキュリティ機能を提供する。
【００３５】
次に、本実施形態のコンピュータシステムの放熱問題を解決する方法について説明をする。
【００３６】
図４は、本発明の好ましい実施形態に基づくコンピュータシステムの放熱問題を解決する方法を説明するためのフローチャートである。
【００３７】
本実施形態のコンピュータシステムの放熱問題を解決する方法は、コンピュータシステムの熱源発生状況に基づき複数の温度間隔を決定するステップａ（図中では単にａと記す）と、コンピュータシステムを、温度間隔にそれぞれ対応する複数の相互接続した独立デバイスに分けるステップｂと、各独立デバイスがそれぞれ電源を得るステップｃとを有する。
【００３８】
ミニコンピュータホスト２や、電源供給器３や、光ディスクドライブ４や、ハードディスクドライブ５や、テレビ信号プロセッサ６などの各独立デバイスは、互いに接続して、モジュラー化コンピュータシステム１を構成する。
【００３９】
商用電源のような主電源から電源を得ることが可能であり、接続する他の独立デバイスから電源を取得することも可能である。例えば、電源供給器３は、ミニコンピュータホスト２に電力を供給することが可能であり、光ディスクドライブ４や、ハードディスクドライブ５や、テレビ信号プロセッサ６は、主電源から電力を得ることが可能であり、ミニコンピュータホスト２に接続することにより、電源供給器３から電力を得ることも可能である。
【００４０】
さらに、本実施形態のコンピュータシステムの放熱問題を解決する方法は、モジュラー化コンピュータシステム１の各独立デバイスが、ほぼ同じ長さと幅を有するように製造するステップｄを有する。これにより、モジュラー化コンピュータシステム１の各独立デバイスの相対位置は、様々な形態に配置することが可能となる。
【００４１】
図１から３には、各々、モジュラー化コンピュータシステム１の各独立デバイスの配置が示されている。しかしながら、図示していない配置を採ることも当然に可能である。
【００４２】
図１に示す本発明の好ましい実施形態のモジュラー化コンピュータシステム１は、ミニコンピュータホスト２と、電源供給器３と、光ディスクドライブ４と、ハードディスクドライブ５と、テレビ信号プロセッサ６とを有する。ミニコンピュータホスト２と、電源供給器３と、光ディスクドライブ４と、ハードディスクドライブ５と、テレビ信号プロセッサ６との各々は、ほぼ同じ長さと幅を有する独立デバイスであり、独立して各々が電源に接続している。
【００４３】
ミニコンピュータホスト２と、電源供給器３と、光ディスクドライブ４と、ハードディスクドライブ５と、テレビ信号プロセッサ６とは互いに接続ラインにより接続し、モジュラー化コンピュータシステム１を構成している。
【００４４】
以上、本発明の好ましい実施形態に基づき説明してきたが、本発明の要旨を逸脱しない範囲においては他にも多くの修正や変更が可能である。このため、本発明の範囲に含まれる修正や変更は、特許請求の範囲によって定義されるものとする。
【図面の簡単な説明】
【００４５】
【図１】本発明の好ましい実施形態に基づくモジュラー化コンピュータシステムの立体斜視図である。
【図２】本発明の他の好ましい実施形態に基づくモジュラー化コンピュータシステムの立体斜視図である。
【図３】本発明のさらに他の好ましい実施形態に基づくモジュラー化コンピュータシステムの立体斜視図である。
【図４】本発明の好ましい実施形態に基づくコンピュータシステムの放熱問題を解決する方法を説明するためのフローチャートである。
【符号の説明】
【００４６】
１        モジュラー化コンピュータシステム
２        ミニコンピュータホスト
３        電源供給器
３０      ケーブル
４        光ディスクドライブ
４０      光インターフェース接続コード
４１      第１の電気コード
５        ハードディスクドライブ
５０      ハードディスクインターフェース接続コード
５１      第２の電気コード
５２      ロック機構
５３      鍵
６        テレビ信号プロセッサ
６０      テレビ信号接続コード
６１      第３の電気コード
【図１】
2007241485.tif 000003
【図２】
2007241485.tif 000004
【図３】
2007241485.tif 000005
【図４】
2007241485.tif 000006